(57)【要約】【課題】発音体付き表示デバイスの構成部材を減らして、より薄型化にするとともに、その発音体付き表示デバイスを備える電子機器を薄型化すること。【解決手段】発音体付き表示デバイス（５１）における、液晶セル（７８）と、第１の偏光板（９）と、反射板（１０）と、位相差板（６）と、偏光フィルム（５）とにより構成される液晶パネル（２０）の前面である偏光フィルムの視認側に、その偏光フィルムとの間に空気室（３）を形成するように光透過性を有する振動フィルム（２）を備え、位相差板に設けられたスピーカーユニット（１）において発生された音が、空気室内の空気の振動として振動フィルムに伝達され、振動フィルムが振動することにより、音を外部に出力する構成にした。【選択図】    図４
2005033260.tif 000002
【特許請求の範囲】
【請求項１】
一対の基板の間に液晶を挟持する液晶セルと、
この液晶セルの視認側と反対側に配設される第１の偏光板と、
この第１の偏光板の視認側と反対側に配設される反射板と、
前記液晶セルの視認側に配設され、前記液晶セルよりも延出した延出部を有する位相差板と、
この位相差板の視認側に配設され、前記位相差板の前記延出部方向に延出する第２の偏光板と、
この第２の偏光板の視認側に配設されるとともに、前記第２の偏光板との間に空気室を形成し、前記位相差板の前記延出部方向に延出した光透過性を有する振動フィルムと、
前記位相差板と前記第２の偏光板とを介して前記空気室に連通するように、前記位相差板の延出部に設けられる発音体と、を備え、
前記発音体において発生された音を、前記空気室が空気振動として前記振動フィルムに伝達することにより、前記振動フィルムが振動させられて、前記音を外部に出力することを特徴とする発音体付き表示デバイス。
【請求項２】
第１の基板と、前記第１の基板よりも延出した延出部を有する第２の基板との間に液晶を挟持する液晶セルと、
この液晶セルの視認側と反対側の前記第１の基板に配設される第１の偏光板と、
この第１の偏光板の視認側と反対側に配設される反射板と、
前記液晶セルの視認側の前記第２の基板に配設され、前記第２の基板の前記延出部方向に延出する位相差板と、
この位相差板の視認側に配設され、前記第２の基板の前記延出部方向に延出する第２の偏光板と、
この第２の偏光板の視認側に配設されるとともに、前記第２の偏光板との間に空気室を形成し、前記第２の基板の前記延出部方向に延出した光透過性を有する振動フィルムと、
前記第２の基板と前記位相差板と前記第２の偏光板とを介して前記空気室に連通するように、前記第２の基板に設けられる発音体と、を備え、
前記発音体において発生された音を、前記空気室が空気振動として前記振動フィルムに伝達することにより、前記振動フィルムが振動させられて、前記音を外部に出力することを特徴とする発音体付き表示デバイス。
【請求項３】
前記振動フィルム及び前記空気室を隔絶する振動遮断部材を備え、
隔絶された前記振動フィルム及び前記空気室毎に対応して、前記発音体を備えることを特徴とする請求項１又は２に記載の発音体付き表示デバイス。
【請求項４】
前記第２の偏光板の前記空気室側に配設される下抵抗膜と、
前記振動フィルムの前記空気室側に配設される上抵抗膜と、を備え、
前記第２の偏光板及び前記下抵抗膜及び前記振動フィルム及び前記上抵抗膜とによりタッチパネルが構成されることを特徴とする請求項１〜３の何れか一項に記載の発音体付き表示デバイス。
【請求項５】
一対の基板の間に液晶を挟持する液晶セルと、
この液晶セルの視認側と反対側に配設される第１の偏光板と、
この第１の偏光板の視認側と反対側に配設される反射板と、
前記液晶セルの視認側に配設され、前記液晶セルよりも延出した延出部を有する位相差板と、
この位相差板の視認側に配設されるとともに、前記位相差板との間に空気室を形成し、前記位相差板の前記延出部方向に延出する第２の偏光板と、
前記位相差板を介して前記空気室に連通するように、前記位相差板の前記延出部に備えられる発音体と、を備え、
前記発音体において発生された音を、前記空気室が空気振動として前記第２の偏光板に伝達することにより、前記第２の偏光板が振動させられて、前記音を外部に出力することを特徴とする発音体付き表示デバイス。
【請求項６】
第１の基板と、前記第１の基板よりも延出した延出部を有する第２の基板との間に液晶を挟持する液晶セルと、
この液晶セルの視認側と反対側の前記第１の基板に配設される第１の偏光板と
この第１の偏光板の視認側と反対側に配設される反射板と、
前記液晶セルの視認側の前記第２の基板に配設され、前記第２の基板の前記延出部方向に延出する位相差板と、
この位相差板の視認側に配設されるとともに、前記位相差板との間に空気室を形成し、前記第２の基板の前記延出部方向に延出する第２の偏光板と、
前記第２の基板と前記位相差板とを介して前記空気室に連通するように、前記第２の基板の前記延出部に設けられる発音体と、を備え、
前記発音体において発生された音を、前記空気室が空気振動として前記第２の偏光板に伝達することにより、前記第２の偏光板が振動させられて、前記音を外部に出力することを特徴とする発音体付き表示デバイス。
【請求項７】
前記第２の偏光板及び前記空気室を隔絶する振動遮断部材を備え、
隔絶された前記第２の偏光板及び前記空気室毎に対応して、前記発音体を備えることを特徴とする請求項５又は６に記載の発音体付き表示デバイス。
【請求項８】
前記位相差板の前記空気室側に配設される下抵抗膜と、
前記第２の偏光板の前記空気室側に配設される上抵抗膜と、を備え、
前記位相差板及び前記下抵抗膜及び前記第２の偏光板及び前記上抵抗膜とによりタッチパネルが構成されることを特徴とする請求項５〜７の何れか一項に記載の発音体付き表示デバイス。
【請求項９】
請求項１から請求項８の何れかに記載の発音体付き表示デバイスを機器ケースに配置したことを特徴とする電子機器。
【発明の詳細な説明】
【０００１】
【発明の属する技術分野】
本発明は、発音体付き表示デバイス及び発音体付き表示デバイスを備える電子機器に関する。
【０００２】
【従来の技術】
従来より、パーソナルコンピュータやＰＤＡ、携帯電話機など、液晶パネルを備える電子機器において、確認音や呼び出し音などの種々のアラーム音や、所定の音声や通話する相手の声などの種々の音声を出力するために、発音体としてスピーカーが備えられている。
このような電子機器をより小型化するために、液晶パネルと発音体とを一体とした発音体付き表示デバイスが知られている（例えば、特許文献１参照。）。
このような発音体付き表示デバイス９０は、例えば、図１６に示されるように、透明な支持パネル４に透明な振動板２２が接着され、支持パネル４と振動板２２との間に形成された密閉空間２４内の空気を介して振動板２２を振動させて音声を出力する構成になっており、支持パネル４に振動板２２を振動させるための発音体ユニットＳと、液晶パネルＰが備えられている。
【０００３】
【特許文献１】
特開２００３−１０２０８３号公報
【０００４】
【発明が解決しようとする課題】
しかしながら、上記特許文献１の場合、透明な振動板２２と透明な支持パネル４とを介して液晶パネルＰが視認可能となるが、２枚の部材を介するため光透過率が低下し、液晶パネルＰの液晶コントラストが悪化することにより、その表示が視認しにくくなる場合があった。
また、発音体付き表示デバイス９０に備えられる発音体ユニットＳや液晶パネルＰが所定の位置に配されるように支持するために支持パネル４を用いるため、その支持パネル４の分、発音体付き表示デバイス９０の厚みが増すので、発音体付き表示デバイス９０の薄型化が難しいという問題があった。
【０００５】
本発明の課題は、構成部材を減らして、より薄型化にすることができるとともに、液晶表示の視認性を向上させる発音体付き表示デバイス及びこの発音体付き表示デバイスを備える電子機器を提供することである。
【０００６】
【課題を解決するための手段】
以上の課題を解決するため、例えば、図１から図１５に示すように、
請求項１記載の発明は、発音体付き表示デバイス（例えば、発音体付き表示デバイス５１）において、
一対の基板（例えば、上基板７と下基板８）の間に液晶を挟持する液晶セル（例えば、液晶セル７８）と、
この液晶セルの視認側と反対側に配設される第１の偏光板（例えば、第１の偏光板９）と、
この第１の偏光板の視認側と反対側に配設される反射板（例えば、反射板１０）と、
前記液晶セルの視認側に配設され、前記液晶セルよりも延出した延出部（例えば、延出部６６）を有する位相差板（例えば、位相差板６）と、
この位相差板の視認側に配設され、前記位相差板の前記延出部方向に延出する第２の偏光板（例えば、偏光フィルム５）と、
この第２の偏光板の視認側に配設されるとともに、前記第２の偏光板との間に空気室（例えば、空気室３）を形成し、前記位相差板の前記延出部方向に延出した光透過性を有する振動フィルム（例えば、振動フィルム２）と、
前記位相差板と前記第２の偏光板とを介して前記空気室に連通するように、前記位相差板の延出部に設けられる発音体（例えば、スピーカーユニット１）と、を備え、
前記発音体において発生された音を、前記空気室が空気振動として前記振動フィルムに伝達することにより、前記振動フィルムが振動させられて、前記音を外部に出力することを特徴とする。
【０００７】
請求項１記載の発明によれば、発音体は位相差板の延出部に設けられ、その発音体は位相差板と、位相差板に貼付された第２の偏光板とにより支持されるので、例えば、図１６に示される従来の発音体付き表示デバイス（９０）における発音体（発音体ユニットＳ）を支持する支持パネル（４）を用いずに、発音体を支持することができる。
よって、この発音体付き表示デバイスは、従来の発音体付き表示デバイスにおける支持パネルを不要とするように、構成部材を削減することができ、その支持パネルの分、発音体付き表示デバイスを薄型化することができる。
また、構成部材の削減により、製造コストの低減を図ることができる。
また、発音体付き表示デバイスの液晶表示を視認する際に、支持パネルがなく、光透過性を有する振動フィルムのみを介して視認することができるので、より好適に液晶表示を視認することができる。
【０００８】
請求項２記載の発明は、発音体付き表示デバイス（例えば、発音体付き表示デバイス５２）において、
第１の基板（例えば、下基板８）と、前記第１の基板よりも延出した延出部（例えば、延出部７７）を有する第２の基板（例えば、上基板７）との間に液晶を挟持する液晶セル（例えば、液晶セル７８）と、
この液晶セルの視認側と反対側の前記第１の基板に配設される第１の偏光板（例えば、第１の偏光板９）と、
この第１の偏光板の視認側と反対側に配設される反射板（例えば、反射板１０）と、
前記液晶セルの視認側の前記第２の基板に配設され、前記第２の基板の前記延出部方向に延出する位相差板（例えば、位相差板６）と、
この位相差板の視認側に配設され、前記第２の基板の前記延出部方向に延出する第２の偏光板（例えば、偏光フィルム５）と、
この第２の偏光板の視認側に配設されるとともに、前記第２の偏光板との間に空気室（例えば、空気室３）を形成し、前記第２の基板の前記延出部方向に延出した光透過性を有する振動フィルム（例えば、振動フィルム２）と、
前記第２の基板と前記位相差板と前記第２の偏光板とを介して前記空気室に連通するように、前記第２の基板に設けられる発音体（例えば、スピーカーユニット１）と、を備え、
前記発音体において発生された音を、前記空気室が空気振動として前記振動フィルムに伝達することにより、前記振動フィルムが振動させられて、前記音を外部に出力することを特徴とする。
【０００９】
請求項２記載の発明によれば、発音体は第２の基板の延出部に設けられ、その発音体は第２の基板と、第２の基板に貼付された位相差板と、位相差板に貼付された第２の偏光板とにより支持されるので、例えば、図１６に示される従来の発音体付き表示デバイス（９０）における発音体（発音体ユニットＳ）を支持する支持パネル（４）を用いらずに、発音体を支持することができる。
よって、この発音体付き表示デバイスは、従来の発音体付き表示デバイスにおける支持パネルを不要とするように、構成部材を削減することができ、その支持パネルの分、発音体付き表示デバイスを薄型化することができる。
また、構成部材の削減により、製造コストの低減を図ることができる。
また、発音体付き表示デバイスの液晶表示を視認する際に、支持パネルがなく、光透過性を有する振動フィルムのみを介して視認することができるので、より好適に液晶表示を視認することができる。
さらに、発音体を、第２の基板と、位相差板と、第２の偏光板との３つの部材により支持することにより、より安定した支持を行うことができる。
【００１０】
請求項３記載の発明は、請求項１又は２に記載の発音体付き表示デバイスにおいて、
前記振動フィルム及び前記空気室を隔絶する振動遮断部材（例えば、振動遮断部材１１）を備え、
隔絶された前記振動フィルム及び前記空気室毎に対応して、前記発音体を備えることを特徴とする。
【００１１】
請求項３記載の発明によれば、請求項１又は２に記載の発明と同様の作用を奏するとともに、複数設けられた発音体毎に、振動フィルム及び空気室を隔絶する振動遮断部材を備えているので、各発音体から発生された音は、振動遮蔽部材により隔絶されて仕切られた、各空気室及び各振動フィルムに伝達され、各振動フィルムからそれぞれの音を出力することができる。
よって、例えば、ステレオ音声に対応した音声の出力や、アプリケーションや表示に対応したそれぞれ異なる音声の出力を行うことができ、様々な音声出力を行うことができる。
【００１２】
請求項４記載の発明は、請求項１〜３の何れか一項に記載の発音体付き表示デバイスにおいて、
前記第２の偏光板の前記空気室側に配設される下抵抗膜（例えば、下抵抗膜３１）と、
前記振動フィルムの前記空気室側に配設される上抵抗膜（例えば、上抵抗膜３２）と、を備え、
前記第２の偏光板及び前記下抵抗膜及び前記振動フィルム及び前記上抵抗膜とによりタッチパネル（例えば、タッチパネル４０）が構成されることを特徴とする。
【００１３】
請求項４記載の発明によれば、請求項１〜３の何れか一項に記載の発明と同様の作用を奏するとともに、第２の偏光板の空気室側に下抵抗膜が配設され、振動フィルムの空気室側に上抵抗膜が配設されて、第２の偏光板及び下抵抗膜及び振動フィルム及び上抵抗膜とによりタッチパネルが構成されるので、発音体付き表示デバイスをタッチパネルとしても兼用することができ、利便性が向上する。
【００１４】
請求項５記載の発明は、発音体付き表示デバイス（例えば、発音体付き表示デバイス５３）において、
一対の基板（例えば、上基板７と下基板８）の間に液晶を挟持する液晶セル（例えば、液晶セル７８）と、
この液晶セルの視認側と反対側に配設される第１の偏光板（例えば、第１の偏光板９）と、
この第１の偏光板の視認側と反対側に配設される反射板（例えば、反射板１０）と、
前記液晶セルの視認側に配設され、前記液晶セルよりも延出した延出部（例えば、延出部６６）を有する位相差板（例えば、位相差板６）と、
この位相差板の視認側に配設されるとともに、前記位相差板との間に空気室（例えば、空気室３）を形成し、前記位相差板の前記延出部方向に延出する第２の偏光板（例えば、偏光フィルム５）と、を備え、
前記位相差板を介して前記空気室に連通するように、前記位相差板の前記延出部に備えられる発音体（例えば、スピーカーユニット１）と、
前記発音体において発生された音を、前記空気室が空気振動として前記第２の偏光板に伝達することにより、前記第２の偏光板が振動させられて、前記音を外部に出力することを特徴とする。
【００１５】
請求項５記載の発明によれば、発音体は位相差板の延出部に設けられ、その発音体は位相差板により支持されるので、例えば、図１６に示される従来の発音体付き表示デバイス（９０）における発音体（発音体ユニットＳ）を支持する支持パネル（４）を用いらずに、発音体を支持することができる。
また、例えば、図１６に示される従来の発音体付き表示デバイス（９０）における振動板（２２）の機能を第２の偏光板が兼ね備えるので、振動板が不要となる。
よって、この発音体付き表示デバイスは、従来の発音体付き表示デバイスにおける支持パネルや振動板を不要とするように、構成部材を削減することができ、その支持パネルや振動板の分、発音体付き表示デバイスを薄型化することができる。
また、構成部材の削減により、製造コストの低減を図ることができる。
また、発音体付き表示デバイスの液晶表示を視認する際に、支持パネルや振動板を介さずに、液晶表示を視認することができるので、より好適に液晶表示を視認することができる。
【００１６】
請求項６記載の発明は、発音体付き表示デバイス（例えば、発音体付き表示デバイス５４）において、
第１の基板（例えば、下基板８）と、前記第１の基板よりも延出した延出部（例えば、延出部７７）を有する第２の基板（例えば、上基板７）との間に液晶を挟持する液晶セル（例えば、液晶セル７８）と、
この液晶セルの視認側と反対側の前記第１の基板に配設される第１の偏光板（例えば、第１の偏光板９）と
この第１の偏光板の視認側と反対側に配設される反射板（例えば、反射板１０）と、
前記液晶セルの視認側の前記第２の基板に配設され、前記第２の基板の前記延出部方向に延出する位相差板（例えば、位相差板６）と、
この位相差板の視認側に配設されるとともに、前記位相差板との間に空気室（例えば、空気室３）を形成し、前記第２の基板の前記延出部方向に延出する第２の偏光板（例えば、偏光フィルム５）と、
前記第２の基板と前記位相差板とを介して前記空気室に連通するように、前記第２の基板の前記延出部に設けられる発音体（例えば、スピーカーユニット１）と、を備え、
前記発音体において発生された音を、前記空気室が空気振動として前記第２の偏光板に伝達することにより、前記第２の偏光板が振動させられて、前記音を外部に出力することを特徴とする。
【００１７】
請求項６記載の発明によれば、発音体は第２の基板の延出部に設けられ、その発音体は第２の基板と、第２の基板に貼付された位相差板とにより支持されるので、例えば、図１６に示される従来の発音体付き表示デバイス（９０）における発音体（発音体ユニットＳ）を支持する支持パネル（４）を用いらずに、発音体を支持することができる。
また、例えば、図１６に示される従来の発音体付き表示デバイス（９０）における振動板（２２）の機能を第２の偏光板が兼ね備えるので、振動板が不要となる。
よって、この発音体付き表示デバイスは、従来の発音体付き表示デバイスにおける支持パネルや振動板を不要とするように、構成部材を削減することができ、その支持パネルや振動板の分、発音体付き表示デバイスを薄型化することができる。従って、このような発音体付き表示デバイスを備える電子機器を薄型化することもできる。
また、構成部材の削減により、製造コストの低減を図ることができる。
また、発音体付き表示デバイスの液晶表示を視認する際に、支持パネルや振動板を介さずに、液晶表示を視認することができるので、より好適に液晶表示部を視認することができる。
さらに、発音体を、第２の基板と、位相差板との２つの部材により支持することにより、より安定した支持を行うことができる。
【００１８】
請求項７記載の発明は、請求項５又は６に記載の発音体付き表示デバイスにおいて、
前記第２の偏光板及び前記空気室を隔絶する振動遮断部材（例えば、振動遮断部材１１）を備え、
隔絶された前記第２の偏光板及び前記空気室毎に対応して、前記発音体を備えることを特徴とする。
【００１９】
請求項７記載の発明によれば、請求項５又は６に記載の発明と同様の作用を奏するとともに、複数設けられた発音体毎に、第２の偏光板及び空気室を隔絶する振動遮断部材を備えているので、各発音体から発生された音は、振動遮蔽部材により隔絶されて仕切られた、各空気室及び各第２の偏光板に伝達され、各第２の偏光板からそれぞれの音を出力することができる。
よって、例えば、ステレオ音声に対応した音声の出力や、アプリケーションや表示に対応したそれぞれ異なる音声の出力を行うことができ、様々な音声出力を行うことができる。
【００２０】
請求項８記載の発明は、請求項５〜７の何れか一項に記載の発音体付き表示デバイスにおいて、
前記位相差板の前記空気室側に配設される下抵抗膜（例えば、下抵抗膜３１）と、
前記第２の偏光板の前記空気室側に配設される上抵抗膜（例えば、上抵抗膜３２）と、を備え、
前記位相差板及び前記下抵抗膜及び前記第２の偏光板及び前記上抵抗膜とによりタッチパネル（例えば、タッチパネル４１）が構成されることを特徴とする。
【００２１】
請求項８記載の発明は、請求項５〜７の何れか一項に記載の発明と同様の作用を奏するとともに、位相差板の空気室側に下抵抗膜が配設され、第２の偏光板の空気室側に上抵抗膜が配設されて、位相差板及び下抵抗膜及び第２の偏光板及び上抵抗膜とによりタッチパネルが構成されるので、発音体付き表示デバイスをタッチパネルとしても兼用することができ、利便性が向上する。
【００２２】
請求項９記載の発明は、請求項１から請求項８の何れかに記載の発音体付き表示デバイスを機器ケース（例えば、上筐体１０１）に配置したことを特徴とする電子機器（例えば、電子辞書１００、２００、３００）。
【００２３】
請求項９記載の発明によれば、従来の発音体付き表示デバイスより薄型化された発音体付き表示デバイスを機器ケースに配置することにより、より薄型化した電子機器を実現することができる。
【００２４】
【発明の実施の形態】
以下、本発明の実施の形態を図１から図１５に基づいて説明する。
〔第１の実施の形態〕
図１は、本発明にかかる電子機器としての電子辞書を示す正面図である。図２（ａ），（ｂ）は、その電子辞書を示す側面図である。
【００２５】
図１、図２に示されるように、電子辞書１００は、例えば、折り畳み式のものであり、表示画面１０１ａを備えた機器ケースとしての上筐体１０１と、操作ボタンを備えた下筐体１０２とがヒンジ１０３を介して連結されて構成されている。この上筐体１０１と下筐体１０２の内部には、それぞれ基板（図示省略）に搭載されて接続された、電子辞書を構成する様々な電子部品（図示省略）が内蔵されている。
【００２６】
そして、電子辞書１００の上筐体１０１の内部には、図３に示されるような、平板形状を呈する薄い筐体の発音体付き表示デバイス５１が、後述する振動フィルム２部分を上筐体１０１の表示窓部１０１ｂから表面に露出するように備えられている。この発音体付き表示デバイス５１は、その側面に設けられたコネクタ５１ｃを介して、電子辞書１００の基板（図示省略）に接続されている。
【００２７】
発音体付き表示デバイス５１は、図４に示されるように、例えば、一対の基板である第２の基板としての上基板７と第１の基板としての下基板８との間に図示しない上下一対の透明な電極間に液晶が備えられた液晶層を挟持した液晶セル７８と、液晶セル７８の視認側の反対側である下基板８の下面に貼付された第１の偏光板９と、第１の偏光板９の下面に貼付された反射板１０と、液晶セル７８の視認側である上基板７の上面に貼付された位相差板６と、位相差板６の上面に貼付された第２の偏光板としての偏光フィルム５と、偏光フィルム５の視認側にスペーサ３ａを介して配設され、偏光フィルム５との間に空気室３を形成する光透過性を有する振動フィルム２と、位相差板６に配設され、位相差板６と偏光フィルム５に形成された連通孔５６を介して空気室３と連通する発音体としてのスピーカーユニット１と、により構成されている。
【００２８】
この発音体付き表示デバイス５１の、偏光フィルム５と位相差板６と液晶セル７８と第１の偏光板９と反射板１０と、により液晶パネル２０が構成される。
なお、発音体付き表示デバイス５１におけるこの液晶パネル２０の液晶ディスプレイ（ＬＣＤ）としての構成や機能は従来公知のものと同様であるので、ここでは詳述しない。
【００２９】
この発音体付き表示デバイス５１において、液晶セル７８の上基板７の上面に貼付される位相差板６は、その一端側に液晶セル７８の幅方向にはみ出すように延出した延出部６６を備えている。また、この位相差板６に貼付される偏光フィルム５は、位相差板６とほぼ同じサイズを有しており、位相差板６とともに液晶セル７８からその幅方向（延出部６６の方向）に延出している。また、偏光フィルム５の視認側に配設される振動フィルム２も同様に、液晶セル７８からその幅方向に延出している。
そして、位相差板６と偏光フィルム５とが液晶セル７８から延出した部位において、位相差板６と偏光フィルム５を貫くように連通孔５６が形成されており、この連通孔５６を介して空気室３と連通するようにスピーカーユニット１が位相差板６の延出部６６に配設されている。
【００３０】
この発音体付き表示デバイス５１におけるスピーカーユニット１は、発生する音声に基づき空気室３内の空気を振動させる。そして、この空気室３内の空気の振動に伴う空気圧が振動フィルム２を振動させることにより、振動フィルム２から音声を再生するように外部に出力することが可能となっている。
【００３１】
この発音体付き表示デバイス５１の振動フィルム２部分が上筐体１０１の表示窓部１０１ｂから表面に露出することにより、液晶セル７８などからなり液晶表示が行われる液晶パネル２０を、振動フィルム２を介して視認することができ、発音体付き表示デバイス５１が電子辞書１００の表示画面１０１ａとして機能するようになっている。
また、スピーカーユニット１の動作に伴い、振動フィルム２が振動することにより、振動フィルム２から音声を出力することができ、発音体付き表示デバイス５１が電子辞書１００のスピーカーとして機能するようになっている。
【００３２】
このように、発音体付き表示デバイス５１は、液晶セル７８などからなる液晶パネル２０による様々な液晶表示を行うことができるとともに、液晶パネル２０の前面に備えられた振動フィルム２から音声を出力することができる。
特に、発音体付き表示デバイス５１は、液晶パネル２０の構成部材である偏光フィルム５と位相差板６によりスピーカーユニット１を発音体付き表示デバイス５１に支持している。つまり、図１６に示される、従来の発音体付き表示デバイス９０における支持パネル４の代わりに、発音体付き表示デバイス５１は、偏光フィルム５と位相差板６とによりスピーカーユニット１を発音体付き表示デバイス５１に支持するので、支持パネル４が不要となる。
よって、発音体付き表示デバイス５１は、従来の発音体付き表示デバイス９０に比べ構成部材を減らしつつ、従来と同様の機能を保つことができる。
【００３３】
このように、発音体付き表示デバイス５１において、従来の発音体付き表示デバイス９０における支持パネル４を不要とすることにより、部品点数を削減することができるので、製造コストを低減することができるとともに、発音体付き表示デバイス５１を薄型化することができる。
また、支持パネル４が削減されたことにより、発音体付き表示デバイス５１の液晶パネル２０を視認する際に、支持パネル４がなく、光透過性を有する振動フィルム２のみを介して視認することができるので、より好適に液晶表示部を視認することができ、液晶パネル２０の視認性の向上が得られる。
また、このように薄型化した発音体付き表示デバイス５１を備える電子辞書１００についても薄型化することができる。
【００３４】
〔第２の実施の形態〕
次に、本発明にかかる発音体付き表示デバイスの第２の実施の形態を、図５に基づき説明する。なお、第１の実施の形態と同一部分には同一符号を付し、異なる部分についてのみ説明する。
【００３５】
図５に示されるように、発音体付き表示デバイス５２は、例えば、一対の基板である上基板７（第２の基板）と下基板８（第１の基板）との間に図示しない上下一対の透明な電極間に液晶が備えられた液晶層を挟持した液晶セル７８と、液晶セル７８の視認側の反対側である下基板８の下面に貼付された第１の偏光板９と、第１の偏光板９の下面に貼付された反射板１０と、液晶セル７８の視認側である上基板７の上面に貼付された位相差板６と、位相差板６の上面に貼付された偏光フィルム５（第２の偏光板）と、偏光フィルム５の視認側にスペーサ３ａを介して配設され、偏光フィルム５との間に空気室３を形成する光透過性を有する振動フィルム２と、上基板７に配設され、上基板７と位相差板６と偏光フィルム５に形成された連通孔５６７を介して空気室３と連通するスピーカーユニット１と、により構成されている。
【００３６】
この発音体付き表示デバイス５２において、液晶セル７８の上基板７は、その一端側に下基板８の幅方向にはみ出すように延出した延出部７７を備えている。また、この上基板７に貼付される位相差板６は、上基板７とほぼ同じサイズを有しており、上基板７とともに下基板８からその幅方向（延出部７７の方向）に延出している。また、この位相差板６に貼付される偏光フィルム５は、位相差板６とほぼ同じサイズを有しており、位相差板６とともに下基板８からその幅方向（延出部７７の方向）に延出している。また、偏光フィルム５の視認側に配設される振動フィルム２も同様に、下基板８からその幅方向に延出している。
そして、上基板７と位相差板６と偏光フィルム５とが下基板８から延出した部位において、上基板７と位相差板６と偏光フィルム５を貫くように連通孔５６７が形成されており、この連通孔５６７を介して空気室３と連通するようにスピーカーユニット１が上基板７の延出部７７に配設されている。
【００３７】
このような構成の発音体付き表示デバイス５２も、第１の実施の形態と同様に、液晶セル７８などからなる液晶パネル２０による様々な液晶表示を行うことができるとともに、液晶パネル２０の前面に備えられた振動フィルム２から音声を出力することができる。
また、第１の実施の形態と同様に、発音体付き表示デバイス５２を薄型化することができるとともに、液晶パネル２０の視認性を向上させることができる。
特に、発音体付き表示デバイス５２は、スピーカーユニット１を、上基板７と位相差板６と偏光フィルム５とにより支持しているので、第１の実施の形態より、スピーカーユニット１の取付強度、支持強度を向上させることができる。
【００３８】
〔第３の実施の形態〕
次に、本発明にかかる発音体付き表示デバイスの第３の実施の形態を、図６に基づき説明する。なお、第１の実施の形態と同一部分には同一符号を付し、異なる部分についてのみ説明する。
【００３９】
図６に示されるように、発音体付き表示デバイス５３は、例えば、一対の基板である上基板７（第２の基板）と下基板８（第１の基板）との間に図示しない上下一対の透明な電極間に液晶が備えられた液晶層を挟持した液晶セル７８と、液晶セル７８の視認側の反対側である下基板８の下面に貼付された第１の偏光板９と、第１の偏光板９の下面に貼付された反射板１０と、液晶セル７８の視認側である上基板７の上面に貼付された位相差板６と、位相差板６の視認側にスペーサ３ａを介して配設され、位相差板６との間に空気室３を形成する偏光フィルム５（第２の偏光板）と、位相差板６に配設され、位相差板６に形成された連通孔６ａを介して空気室３と連通するスピーカーユニット１と、により構成されている。
【００４０】
この発音体付き表示デバイス５３において、液晶セル７８の上基板７の上面に貼付される位相差板６は、その一端側に液晶セル７８の幅方向にはみ出すように延出した延出部６６を備えている。また、位相差板６の視認側に配設される偏光フィルム５は、位相差板６とほぼ同じサイズを有しており、位相差板６と同様に、液晶セル７８からその幅方向（延出部６６の方向）に延出している。
そして、位相差板６が液晶セル７８から延出した部位において、位相差板６を貫くように連通孔６ａが形成されており、この連通孔６ａを介して空気室３と連通するようにスピーカーユニット１が位相差板６の延出部６６に配設されている。
【００４１】
この発音体付き表示デバイス５３におけるスピーカーユニット１は、出力する音声に基づき空気室３内の空気を振動させる。そして、この空気室３内の空気の振動に伴う空気圧が偏光フィルム５を振動させることにより、偏光フィルム５から音声を再生するように出力することが可能となっている。
つまり、発音体付き表示デバイス５３は、第１の実施の形態における発音体付き表示デバイス５１における振動フィルム２の代わりに、偏光フィルム５を配置し、振動フィルム２を不要とした構成である。
ここで、振動フィルム２と、偏光フィルム５とは、同一あるいは類似の樹脂により形成された、ほぼ同じ厚みを有するフィルムであるので、スピーカーユニット１の出力に基づき振動して出力する音声は、ほぼ同様のものとなる。
【００４２】
このような構成の発音体付き表示デバイス５３も、第１の実施の形態と同様に、液晶セル７８などからなる液晶パネル２０による様々な液晶表示を行うことができるとともに、液晶パネル２０の前面の偏光フィルム５から音声を出力することができる。また、第１の実施の形態と同様に、発音体付き表示デバイス５２を薄型化することができるとともに、液晶パネル２０の視認性を向上させることができる。
特に、発音体付き表示デバイス５３は、振動フィルム２を削減することにより、より薄型化を図ることができるとともに、部品点数の削減により製造コストをさらに低減することができる。
【００４３】
〔第４の実施の形態〕
次に、本発明にかかる発音体付き表示デバイスの第４の実施の形態を、図７に基づき説明する。なお、第１、第２、第３の実施の形態と同一部分には同一符号を付し、異なる部分についてのみ説明する。
【００４４】
図７に示されるように、発音体付き表示デバイス５４は、例えば、一対の基板である上基板７（第２の基板）と下基板８（第１の基板）との間に図示しない上下一対の透明な電極間に液晶が備えられた液晶層を挟持した液晶セル７８と、液晶セル７８の視認側の反対側である下基板８の下面に貼付された第１の偏光板９と、第１の偏光板９の下面に貼付された反射板１０と、液晶セル７８の視認側である上基板７の上面に貼付された位相差板６と、位相差板６の視認側にスペーサ３ａを介して配設され、位相差板６との間に空気室３を形成する偏光フィルム５（第２の偏光板）と、上基板７に配設され、上基板７と位相差板６に形成された連通孔６７を介して空気室３と連通するスピーカーユニット１と、により構成されている。
【００４５】
この発音体付き表示デバイス５４において、液晶セル７８の上基板７は、その一端側に下基板８の幅方向にはみ出すように延出した延出部７７を備えている。また、この上基板７に貼付される位相差板６は、上基板７とほぼ同じサイズを有しており、上基板７とともに下基板８からその幅方向（延出部７７の方向）に延出している。また、位相差板６の視認側に配設される偏光フィルム５は、位相差板６とほぼ同じサイズを有しており、位相差板６と同様に、下基板８からその幅方向（延出部７７の方向）に延出している。
そして、上基板７と位相差板６が下基板８から延出した部位において、上基板７と位相差板６を貫くように連通孔６７が形成されており、この連通孔６７を介して空気室３と連通するようにスピーカーユニット１が上基板７の延出部７７に配設されている。
【００４６】
このような構成の発音体付き表示デバイス５４も、第３の実施の形態と同様に、液晶セル７８などからなる液晶パネル２０による様々な液晶表示を行うことができるとともに、液晶パネル２０の前面の偏光フィルム５から音声を出力することができる。
また、発音体付き表示デバイス５４は、スピーカーユニット１を、上基板７と位相差板６とにより支持しているので、第３の実施の形態より、スピーカーユニット１の取付強度、支持強度を向上させることができる。
また、発音体付き表示デバイス５４は、第１の実施の形態と同様に、発音体付き表示デバイス５４を薄型化することができるとともに、液晶パネル２０の視認性を向上させることができる。
特に、発音体付き表示デバイス５４は、振動フィルム２を削減することにより、より薄型化を図ることができるとともに、部品点数の削減により製造コストをさらに低減することができる。
【００４７】
〔第５の実施の形態〕
次に、本発明にかかる発音体付き表示デバイスの第５の実施の形態を、図８に基づき説明する。なお、第１の実施の形態と同一部分には同一符号を付し、異なる部分についてのみ説明する。
【００４８】
図８（ａ），（ｂ）に示されるように、発音体付き表示デバイス５５は、例えば、一対の基板である上基板７（第２の基板）と下基板８（第１の基板）との間に図示しない上下一対の透明な電極間に液晶が備えられた液晶層を挟持した液晶セル７８と、液晶セル７８の視認側の反対側である下基板８の下面に貼付された第１の偏光板９と、第１の偏光板９の下面に貼付された反射板１０と、液晶セル７８の視認側である上基板７の上面に貼付された位相差板６と、位相差板６の上面に貼付された偏光フィルム５（第２の偏光板）と、偏光フィルム５の視認側にスペーサ３ａを介して配設され、偏光フィルム５との間に空気室３を形成する光透過性を有する振動フィルム２と、位相差板６に配設され、位相差板６と偏光フィルム５に形成された連通孔５６ａ、５６ｂを介してそれぞれ空気室３と連通するスピーカーユニット１ａ、１ｂと、スピーカーユニット１ａとスピーカーユニット１ｂ毎に、振動フィルム２及び空気室３を隔絶する振動遮断部材１１と、により構成されている。
【００４９】
この発音体付き表示デバイス５５において、液晶セル７８の上基板７の上面に貼付される位相差板６は、その両端に液晶セル７８の幅方向にはみ出すように延出した延出部６６ａ、６６ｂを備えている。また、この位相差板６に貼付される偏光フィルム５は、位相差板６とほぼ同じサイズを有しており、位相差板６とともに液晶セル７８からその幅方向（延出部６６ａ、６６ｂの方向）に延出している。また、偏光フィルム５の視認側に配設される振動フィルム２も同様に、液晶セル７８からその幅方向に延出している。
そして、位相差板６と偏光フィルム５とが液晶セル７８から延出した部位において、位相差板６と偏光フィルム５を貫くように連通孔５６ａ、５６ｂが形成されており、この連通孔５６ａを介して空気室３と連通するスピーカーユニット１ａと、連通孔５６ｂを介して空気室３と連通するスピーカーユニット１ｂが、位相差板６の延出部６６ａ、６６ｂにそれぞれ配設されている。
【００５０】
そして、振動遮断部材１１は、スピーカーユニット１ａとスピーカーユニット１ｂ毎に、振動フィルム２及び空気室３を分離し、隔絶するように配設され、この振動遮断部材１１により、一方のスピーカーユニット（例えば、スピーカーユニット１ａ）から発生される音声に基づく振動が、他方のスピーカーユニット（例えば、スピーカーユニット１ｂ）側の振動フィルム２や空気室３に伝わらないようになっている。
つまり、一方のスピーカーユニット１ａから発生される音声に基づき、そのスピーカーユニット１ａに対応するように分離、隔絶された振動フィルム２からその音声を出力することができ、他方のスピーカーユニット１ｂから発生される音声に基づき、そのスピーカーユニット１ｂに対応するように分離、隔絶された振動フィルム２からその音声を出力することができる。
【００５１】
なお、振動遮断部材１１は、光透過性を有する材料により構成したり、極薄い形状としたりすることなどにより、液晶パネル２０の液晶表示を視認する際の妨げにはならないようになっている。
【００５２】
このような構成の発音体付き表示デバイス５５も、第１の実施の形態と同様に、液晶セル７８などからなる液晶パネル２０による様々な液晶表示を行うことができるとともに、液晶パネル２０の前面に備えられた振動フィルム２から音声を出力することができる。また、第１の実施の形態と同様に、発音体付き表示デバイス５２を薄型化することができるとともに、液晶パネル２０の視認性を向上させることができる。
特に、発音体付き表示デバイス５５は、複数のスピーカーユニット（スピーカーユニット１ａ、スピーカーユニット１ｂ）を備え、それぞれのスピーカーユニットが発生する音声を、振動遮断部材１１により分離、隔絶された振動フィルム２からそれぞれ出力することができる。よって、ステレオ音声に対応した音声の出力を行うことができる。また、アプリケーションや表示に対応したそれぞれ異なる音声の出力を行うことができ、様々な音声出力を行うことができる。
【００５３】
なお、発音体付き表示デバイス５５は、図４に示される第１の実施の形態における発音体付き表示デバイス５１に複数のスピーカーユニット（スピーカーユニット１ａ、スピーカーユニット１ｂ）を配設し、各スピーカーユニット毎に振動フィルム２及び空気室３を分離し、隔絶するように振動遮断部材１１を配設したものである。
これと同様に、図５に示される発音体付き表示デバイス５２に複数のスピーカーユニットを配設し、各スピーカーユニット毎に振動フィルム２及び空気室３を分離し、隔絶するように振動遮断部材１１を配設してもよい。
また、図６に示される発音体付き表示デバイス５３や、図７に示される発音体付き表示デバイス５４に複数のスピーカーユニットを配設し、各スピーカーユニット毎に偏光フィルム５及び空気室３を分離し、隔絶するように振動遮断部材１１を配設し、分離、隔絶された偏光フィルム５からそれぞれ音声を出力するようにしてもよい。
【００５４】
なお、発音体付き表示デバイスに配設される複数のスピーカーユニットは２つに限らず任意の数でよく、そのスピーカーユニットの数に応じて、振動フィルム２及び空気室３や、偏光フィルム５及び空気室３を、振動遮断部材１１により複数に分離、隔絶するようにしてもよい。
【００５５】
〔第６の実施の形態〕
次に、本発明にかかる発音体付き表示デバイスの第６の実施の形態を、図９に基づき説明する。なお、第１の実施の形態と同一部分には同一符号を付し、異なる部分についてのみ説明する。
【００５６】
図９に示されるように、発音体付き表示デバイス６１は、例えば、一対の基板である上基板７（第２の基板）と下基板８（第１の基板）との間に図示しない上下一対の透明な電極間に液晶が備えられた液晶層を挟持した液晶セル７８と、液晶セル７８の視認側の反対側である下基板８の下面に貼付された第１の偏光板９と、第１の偏光板９の下面に貼付された反射板１０と、液晶セル７８の視認側である上基板７の上面に貼付された位相差板６と、位相差板６の上面に貼付された偏光フィルム５（第２の偏光板）と、偏光フィルム５の視認側にスペーサ３ａを介して配設され、偏光フィルム５との間に空気室３を形成する光透過性を有する振動フィルム２と、位相差板６に配設され、位相差板６と偏光フィルム５に形成された連通孔５６を介して空気室３と連通する発音体としてのスピーカーユニット１と、偏光フィルム５の空気室３側に貼付された下抵抗膜３１と、振動フィルム２の空気室３側に貼付された上抵抗膜３２と、により構成されている。なお、下抵抗膜３１の表面には複数のマイクロスペーサ３３・・・が設けられている。
【００５７】
この発音体付き表示デバイス６１の、偏光フィルム５と下抵抗膜３１と振動フィルム２と上抵抗膜３２等によりタッチパネル４０が構成される。
タッチパネル４０において、指やタッチペンなどにより振動フィルム２がタッチ、押下されることにより、空気室３をはさんで対向する下抵抗膜３１と上抵抗膜３２とが接触することにより入力された入力指示と、液晶パネル２０に表示されるスイッチ等の位置情報とを対応させることにより、所定の操作入力が行われる。なお、発音体付き表示デバイス６１におけるこのタッチパネル４０の構成や機能は従来公知のものと同様であるので、ここでは詳述しない。
【００５８】
この発音体付き表示デバイス６１において、液晶セル７８の上基板７の上面に貼付される位相差板６は、その一端側に液晶セル７８の幅方向にはみ出すように延出した延出部６６を備えている。また、この位相差板６に貼付される偏光フィルム５は、位相差板６とほぼ同じサイズを有しており、位相差板６とともに液晶セル７８からその幅方向（延出部６６の方向）に延出している。また、偏光フィルム５の視認側に配設される振動フィルム２も同様に、液晶セル７８からその幅方向に延出している。
そして、位相差板６と偏光フィルム５とが液晶セル７８から延出した部位において、位相差板６と偏光フィルム５を貫くように連通孔５６が形成されており、この連通孔５６を介して空気室３と連通するようにスピーカーユニット１が位相差板６の延出部６６に配設されている。
【００５９】
この発音体付き表示デバイス６１におけるスピーカーユニット１は、発生する音声に基づき空気室３内の空気を振動させる。そして、この空気室３内の空気の振動に伴う空気圧が振動フィルム２を振動させることにより、振動フィルム２から音声を再生するように外部に出力することが可能となっている。
【００６０】
このような発音体付き表示デバイス６１を、図１０に示されるように、電子機器２００の上筐体１０１の内部に、発音体付き表示デバイス６１の振動フィルム２部分が上筐体１０１の表示窓部１０１ｂから表面に露出するように備えることにより、液晶セル７８などからなり液晶表示が行われる液晶パネル２０を、振動フィルム２（タッチパネル４０）を介して視認することができ、発音体付き表示デバイス６１が電子辞書２００の表示画面１０１ａとして機能するようになっている。
また、発音体付き表示デバイス６１が、電子辞書２００に操作入力を行うためのタッチパネル（タッチパネル４０）として機能するようになっている。
また、スピーカーユニット１の動作に伴い、振動フィルム２が振動することにより、振動フィルム２から音声を出力することができ、発音体付き表示デバイス６１が電子辞書２００のスピーカーとして機能するようになっている。
【００６１】
このような構成の発音体付き表示デバイス６１も、第１の実施の形態と同様に、液晶セル７８などからなる液晶パネル２０による様々な液晶表示を行うことができるとともに、液晶パネル２０の前面に備えられた振動フィルム２から音声を出力することができる。また、第１の実施の形態と同様に、発音体付き表示デバイス６１を薄型化することができるとともに、液晶パネル２０の視認性を向上させることができる。
特に、発音体付き表示デバイス６１は、偏光フィルム５と下抵抗膜３１と振動フィルム２と上抵抗膜３２等により構成されるタッチパネル４０を備えているので、電子辞書２００における所定の操作ボタンに対する操作に加え、このタッチパネル４０を操作することによる操作入力を行うことができるようになる。
【００６２】
なお、発音体付き表示デバイス６１は、図４に示される第１の実施の形態における発音体付き表示デバイス５１の偏光フィルム５に下抵抗膜３１を貼付し、振動フィルム２に上抵抗膜３２を貼付することにより、発音体付き表示デバイスにタッチパネルの機能を付与したものである。
これと同様に、図５に示される発音体付き表示デバイス５２の偏光フィルム５の視認側の面に下抵抗膜３１を貼付し、振動フィルム２の視認側と反対側の面に上抵抗膜３２を貼付することにより、第６の実施の形態の第１の変形例である発音体付き表示デバイス６２とすることができる（図１１参照）。
この発音体付き表示デバイス６２も、タッチパネル４０を備える発音体付き表示デバイス６２とすることができる。
【００６３】
また、図６に示される発音体付き表示デバイス５３、図７に示される発音体付き表示デバイス５４の位相差板６の視認側の面に下抵抗膜３１を貼付し、偏光フィルム５の視認側と反対側の面に上抵抗膜３２を貼付することによっても、それぞれ、第６の実施の形態の第２の変形例である発音体付き表示デバイス６３（図１２参照）、第６の実施の形態の第３の変形例である発音体付き表示デバイス６４（図１３参照）とすることができる。
なお、発音体付き表示デバイス６３、発音体付き表示デバイス６４は、位相差板６と下抵抗膜３１と偏光フィルム５と上抵抗膜３２等により構成されるタッチパネル４１を備える発音体付き表示デバイスとして構成される。
【００６４】
また、図８に示される発音体付き表示デバイス５５の偏光フィルム５の視認側の面に下抵抗膜３１を貼付し、振動フィルム２の視認側と反対側の面に上抵抗膜３２を貼付することによっても、タッチパネル４０を備える発音体付き表示デバイスとして、第６の実施の形態の第４の変形例である発音体付き表示デバイス６５（図１４参照）を構成することができる。この発音体付き表示デバイス６５を上筐体１０１に備えることにより、図１５に示されるような、電子機器３００とすることができる。
なお、発音体付き表示デバイス６５は、図９に示される発音体付き表示デバイス６１に複数のスピーカーユニット（スピーカーユニット１ａ、スピーカーユニット１ｂ）を配設し、各スピーカーユニット毎に振動フィルム２及び空気室３を分離し、隔絶するように振動遮断部材１１を配設したものである。
これと同様に、発音体付き表示デバイス６２に複数のスピーカーユニットを配設し、各スピーカーユニット毎に振動フィルム２及び空気室３を分離し、隔絶するように振動遮断部材１１を配設してもよい。
また、発音体付き表示デバイス６３、発音体付き表示デバイス６４に複数のスピーカーユニットを配設し、各スピーカーユニット毎に偏光フィルム５及び空気室３を分離し、隔絶するように振動遮断部材１１を配設し、分離、隔絶された偏光フィルム５からそれぞれ音声を出力するようにしてもよい。
【００６５】
なお、発音体付き表示デバイスに配設される複数のスピーカーユニットは２つに限らず任意の数でよく、そのスピーカーユニットの数に応じて、振動フィルム２及び空気室３や、偏光フィルム５及び空気室３を、振動遮断部材１１により複数に分離、隔絶するようにしてもよい。
【００６６】
このように、本発明にかかる発音体付き表示デバイスは、支持パネルなどの構成部材を削減することにより、発音体付き表示デバイスを薄型化するとともに、製造コストの低減を図ることができる。
【００６７】
また、本発明にかかる発音体付き表示デバイスは、発音体付き表示デバイス自体の前面から音声を出力することができるので、スピーカーなどの音声出力部を発音体付き表示デバイス以外に備えなくてもよい。
よって、スピーカーが電子辞書などの電子機器の別体として設けられて嵩張ることがない。
また、スピーカーを電子辞書などの電子機器に備えるために、表示画面のスペースがとられることがないので、表示画面の大型化を図ることができる。
また、表示画面の大型化を図った電子辞書などの電子機器の背面などにスピーカーを備える必要がないので、出力される音声を良好に聴き取ることができる。
【００６８】
なお、以上の実施の形態においては、電子機器として電子辞書を例に説明したが、本発明はこれに限定されるものではなく、電子機器は、パソコンや携帯電話機など、液晶パネル、液晶表示部を有する電子機器であれば任意のものでよい。
【００６９】
なお、タッチパネルとして、感圧抵抗膜式のものを例に説明したが、本発明はこれに限定されるものではなく、電磁誘導式、磁気歪式等、任意の座標読み取り原理のタッチパネルを構成するようにしてもよい。
【００７０】
また、その他、具体的な細部構造等についても適宜に変更可能であることは勿論である。
【００７１】
【発明の効果】
請求項１記載の発明によれば、発音体は位相差板の延出部に設けられ、その発音体は位相差板と、位相差板に貼付された第２の偏光板とにより支持されるので、例えば、図１６に示される従来の発音体付き表示デバイス（９０）における発音体（発音体ユニットＳ）を支持する支持パネル（４）を用いずに、発音体を支持することができる。
よって、この発音体付き表示デバイスは、従来の発音体付き表示デバイスにおける支持パネルを不要とするように、構成部材を削減することができ、その支持パネルの分、発音体付き表示デバイスを薄型化することができる。
また、構成部材の削減により、製造コストの低減を図ることができる。
また、発音体付き表示デバイスの液晶表示を視認する際に、支持パネルがなく、光透過性を有する振動フィルムのみを介して視認することができるので、より好適に液晶表示を視認することができる。
【００７２】
請求項２記載の発明によれば、発音体は第２の基板の延出部に設けられ、その発音体は第２の基板と、第２の基板に貼付された位相差板と、位相差板に貼付された第２の偏光板とにより支持されるので、例えば、図１６に示される従来の発音体付き表示デバイス（９０）における発音体（発音体ユニットＳ）を支持する支持パネル（４）を用いらずに、発音体を支持することができる。
よって、この発音体付き表示デバイスは、従来の発音体付き表示デバイスにおける支持パネルを不要とするように、構成部材を削減することができ、その支持パネルの分、発音体付き表示デバイスを薄型化することができる。
また、構成部材の削減により、製造コストの低減を図ることができる。
また、発音体付き表示デバイスの液晶表示を視認する際に、支持パネルがなく、光透過性を有する振動フィルムのみを介して視認することができるので、より好適に液晶表示を視認することができる。
さらに、発音体を、第２の基板と、位相差板と、第２の偏光板との３つの部材により支持することにより、より安定した支持を行うことができる。
【００７３】
請求項３記載の発明によれば、請求項１又は２に記載の発明と同様の作用を奏するとともに、複数設けられた発音体毎に、振動フィルム及び空気室を隔絶する振動遮断部材を備えているので、各発音体から発生された音は、振動遮蔽部材により隔絶されて仕切られた、各空気室及び各振動フィルムに伝達され、各振動フィルムからそれぞれの音を出力することができる。
よって、例えば、ステレオ音声に対応した音声の出力や、アプリケーションや表示に対応したそれぞれ異なる音声の出力を行うことができ、様々な音声出力を行うことができる。
【００７４】
請求項４記載の発明によれば、請求項１〜３の何れか一項に記載の発明と同様の作用を奏するとともに、第２の偏光板の空気室側に下抵抗膜が配設され、振動フィルムの空気室側に上抵抗膜が配設されて、第２の偏光板及び下抵抗膜及び振動フィルム及び上抵抗膜とによりタッチパネルが構成されるので、発音体付き表示デバイスをタッチパネルとしても兼用することができ、利便性が向上する。
【００７５】
請求項５記載の発明によれば、発音体は位相差板の延出部に設けられ、その発音体は位相差板により支持されるので、例えば、図１６に示される従来の発音体付き表示デバイス（９０）における発音体（発音体ユニットＳ）を支持する支持パネル（４）を用いらずに、発音体を支持することができる。
また、例えば、図１６に示される従来の発音体付き表示デバイス（９０）における振動板（２２）の機能を第２の偏光板が兼ね備えるので、振動板が不要となる。
よって、この発音体付き表示デバイスは、従来の発音体付き表示デバイスにおける支持パネルや振動板を不要とするように、構成部材を削減することができ、その支持パネルや振動板の分、発音体付き表示デバイスを薄型化することができる。
また、構成部材の削減により、製造コストの低減を図ることができる。
また、発音体付き表示デバイスの液晶表示を視認する際に、支持パネルや振動板を介さずに、液晶表示を視認することができるので、より好適に液晶表示を視認することができる。
【００７６】
請求項６記載の発明によれば、発音体は第２の基板の延出部に設けられ、その発音体は第２の基板と、第２の基板に貼付された位相差板とにより支持されるので、例えば、図１６に示される従来の発音体付き表示デバイス（９０）における発音体（発音体ユニットＳ）を支持する支持パネル（４）を用いらずに、発音体を支持することができる。
また、例えば、図１６に示される従来の発音体付き表示デバイス（９０）における振動板（２２）の機能を第２の偏光板が兼ね備えるので、振動板が不要となる。
よって、この発音体付き表示デバイスは、従来の発音体付き表示デバイスにおける支持パネルや振動板を不要とするように、構成部材を削減することができ、その支持パネルや振動板の分、発音体付き表示デバイスを薄型化することができる。従って、このような発音体付き表示デバイスを備える電子機器を薄型化することもできる。
また、構成部材の削減により、製造コストの低減を図ることができる。
また、発音体付き表示デバイスの液晶表示を視認する際に、支持パネルや振動板を介さずに、液晶表示を視認することができるので、より好適に液晶表示部を視認することができる。
さらに、発音体を、第２の基板と、位相差板との２つの部材により支持することにより、より安定した支持を行うことができる。
【００７７】
請求項７記載の発明によれば、請求項５又は６に記載の発明と同様の作用を奏するとともに、複数設けられた発音体毎に、第２の偏光板及び空気室を隔絶する振動遮断部材を備えているので、各発音体から発生された音は、振動遮蔽部材により隔絶されて仕切られた、各空気室及び各第２の偏光板に伝達され、各第２の偏光板からそれぞれの音を出力することができる。
よって、例えば、ステレオ音声に対応した音声の出力や、アプリケーションや表示に対応したそれぞれ異なる音声の出力を行うことができ、様々な音声出力を行うことができる。
【００７８】
請求項８記載の発明は、請求項５〜７の何れか一項に記載の発明と同様の作用を奏するとともに、位相差板の空気室側に下抵抗膜が配設され、第２の偏光板の空気室側に上抵抗膜が配設されて、位相差板及び下抵抗膜及び第２の偏光板及び上抵抗膜とによりタッチパネルが構成されるので、発音体付き表示デバイスをタッチパネルとしても兼用することができ、利便性が向上する。
【００７９】
請求項９記載の発明によれば、従来の発音体付き表示デバイスより薄型化された発音体付き表示デバイスを機器ケースに配置することにより、より薄型化した電子機器を実現することができる。
【図面の簡単な説明】
【図１】本発明にかかる電子辞書を示す正面図である。
【図２】本発明にかかる電子辞書を示す側面図であり、図２（ａ）は、上筐体が開いた状態の側面図（図１の矢印ＩＩ方向からの側面図）であり、図２（ｂ）は、上筐体が閉じた状態の側面図である。
【図３】本発明にかかる発音体付き表示デバイスを示す斜視図である。
【図４】本発明の電子辞書の上筺体を一部破断し、本発明の第１の実施の形態における発音体付き表示デバイスを示す断面図である。
【図５】本発明の第２の実施の形態における発音体付き表示デバイスを示す断面図である。
【図６】本発明の第３の実施の形態における発音体付き表示デバイスを示す断面図である。
【図７】本発明の第４の実施の形態における発音体付き表示デバイスを示す断面図である。
【図８】本発明の第５の実施の形態における発音体付き表示デバイスを示す図であり、図８（ａ）は平面図、図８（ｂ）は、図８（ａ）のｂ−ｂ線における断面図である。
【図９】本発明の第６の実施の形態における発音体付き表示デバイスを示す断面図である。
【図１０】本発明の第６の実施の形態における発音体付き表示デバイスを、電子辞書の上筺体に配置した状態を示す一部破断断面図である。
【図１１】本発明の第６の実施の形態における発音体付き表示デバイスの第１の変形例を示す断面図である。
【図１２】本発明の第６の実施の形態における発音体付き表示デバイスの第２の変形例を示す断面図である。
【図１３】本発明の第６の実施の形態における発音体付き表示デバイスの第３の変形例を示す断面図である。
【図１４】本発明の第６の実施の形態における発音体付き表示デバイスの第４の変形例を示す図であり、図１４（ａ）は平面図、図１４（ｂ）は、図１４（ａ）のｂ−ｂ線における断面図である。
【図１５】本発明の第６の実施の形態における発音体付き表示デバイスの第４の変形例を、電子辞書の上筺体に配置した状態を示す一部破断断面図である。
【図１６】従来の発音体付き表示デバイス示す断面図である。
【符号の説明】
１      スピーカーユニット（発音体）
２      振動フィルム
３      空気室
３１    下抵抗膜
３２    上抵抗膜
５      偏光フィルム（第２の偏光板）
６      位相差板
６６    延出部
７      上基板（第２の基板）
７７    延出部
８      下基板（第１の基板）
７８    液晶セル
９      第１の偏光板
１０    反射板
１１    振動遮断部材
２０    液晶パネル
４０、４１  タッチパネル
５１、５２、５３、５４、５５  発音体付き表示デバイス
６１、６２、６３、６４、６５  発音体付き表示デバイス
１０１  上筐体（機器ケース）
１００、２００、３００  電子辞書（電子機器）
【図１】
2005033260.tif 000003
【図２】
2005033260.tif 000004
【図３】
2005033260.tif 000005
【図４】
2005033260.tif 000006
【図５】
2005033260.tif 000007
【図６】
2005033260.tif 000008
【図７】
2005033260.tif 000009
【図８】
2005033260.tif 000010
【図９】
2005033260.tif 000011
【図１０】
2005033260.tif 000012
【図１１】
2005033260.tif 000013
【図１２】
2005033260.tif 000014
【図１３】
2005033260.tif 000015
【図１４】
2005033260.tif 000016
【図１５】
2005033260.tif 000017
【図１６】
2005033260.tif 000018